(57)【要約】【課題】コピージョブの処理を分割して順に実行することで、メモリー不足を発生させずにコピージョブを実行することができる画像形成装置を提供する。【解決手段】スキャンジョブ及びプリントジョブの実行に必要な作業領域のそれぞれの容量とメモリー（ＲＡＭ１０３）の空き領域Ｘとを比較する空き領域判定部１０４と、空き領域判定部１０４によってメモリーの空き領域Ｘがスキャンジョブの実行に必要な作業領域の容量以上でプリントジョブの実行に必要な作業領域の容量未満であると判定された場合、並列処理を解消し、スキャン処理を実行した後に、不揮発性メモリーに保存し、再起動後にプリント処理を実行する分割処理実行部１０５とを備えている。【選択図】図１
2020077897.tif 000002
【特許請求の範囲】
【請求項１】
スキャンジョブに基づくスキャン処理を実行するスキャン機能と、プリントジョブに基づくプリント処理を実行するプリント機能と、コピージョブに基づく前記スキャン処理及び前記プリント処理を実行するコピー機能とを備え、前記コピージョブの実行は、前記スキャン処理と前記プリント処理とを並列処理する画像形成装置であって、
前記コピージョブの実行が指示されると、ジョブの実行に必要な作業領域の容量とメモリーの空き領域とを比較する空き領域判定部と、
前記空き領域判定部によって前記メモリーの空き領域が前記スキャンジョブの実行に必要な作業領域の容量以上で前記プリントジョブの実行に必要な作業領域の容量未満であると判定された場合、前記並列処理を解消し、前記スキャン処理を実行した後に、不揮発性メモリーに保存し、再起動後に前記プリント処理を実行する分割処理実行部と、を具備することを特徴とする画像形成装置。
【請求項２】
スキャンジョブに基づくスキャン処理を実行するスキャン機能と、プリントジョブに基づくプリント処理を実行するプリント機能と、コピージョブに基づく前記スキャン処理及び前記プリント処理を実行するコピー機能とを備え、前記コピージョブの実行は、前記スキャン処理と前記プリント処理とを並列処理する画像形成装置であって、
前記コピージョブの実行が指示されると、ジョブの実行に必要な作業領域の容量とメモリーの空き領域とを比較する空き領域判定部と、
前記空き領域判定部によって前記メモリーの空き領域が前記プリントジョブの実行に必要な作業領域の容量以上で前記コピージョブの実行に必要な作業領域の容量未満であると判定された場合、前記並列処理を解消し、前記スキャン処理を実行した後に、前記プリント処理を実行する順次処理実行部と、を具備することを特徴とする画像形成装置。
【請求項３】
スキャンジョブに基づくスキャン処理を実行するスキャン機能と、プリントジョブに基づくプリント処理を実行するプリント機能と、コピージョブに基づく前記スキャン処理及び前記プリント処理を実行するコピー機能とを備え、前記コピージョブの実行は、前記スキャン処理と前記プリント処理とを並列処理する画像形成装置であって、
前記コピージョブの実行が指示されると、ジョブの実行に必要な作業領域の容量とメモリーの空き領域とを比較する空き領域判定部と、
前記空き領域判定部によって前記メモリーの空き領域が前記スキャンジョブの実行に必要な作業領域の容量以上で前記プリントジョブの実行に必要な作業領域の容量未満であると判定された場合、前記並列処理を解消し、前記スキャン処理を実行した後に、不揮発性メモリーに保存し、再起動後に前記プリント処理を実行する分割処理実行部と、
前記空き領域判定部によって前記メモリーの空き領域が前記プリントジョブの実行に必要な作業領域の容量以上で前記コピージョブの実行に必要な作業領域の容量未満であると判定された場合、前記並列処理を解消し、前記スキャン処理を実行した後に、前記プリント処理を実行する順次処理実行部と、を具備することを特徴とする画像形成装置。
【発明の詳細な説明】
【技術分野】
【０００１】
本発明は、コピージョブを実行するコピー機能を備えた画像形成装置に関する。
【背景技術】
【０００２】
メモリーオーバー発生時に、コピージョブを頁単位で分割して随時処理を行う技術が提案されている（例えば、特許文献１参照）。
【先行技術文献】
【特許文献】
【０００３】
【特許文献１】特開２００１−５８４３１号公報
【発明の概要】
【発明が解決しようとする課題】
【０００４】
しかしながら、従来技術では、ジョブの分割が頁単位であるため、コピージョブに基づくスキャン処理とプリント処理とを並列処理する設定になっている場合、依然としてメモリーオーバーが発生してしまう虞がある。
【０００５】
本発明は、上記問題点を鑑みてなされたものであり、その目的とするところは、コピージョブの処理を分割して順に実行することで、メモリー不足を発生させずにコピージョブを実行することができる画像形成装置を提供することを目的とする。
【課題を解決するための手段】
【０００６】
本発明の画像形成装置は、スキャンジョブに基づくスキャン処理を実行するスキャン機能と、プリントジョブに基づくプリント処理を実行するプリント機能と、コピージョブに基づく前記スキャン処理及び前記プリント処理を実行するコピー機能とを備え、前記コピージョブの実行は、前記スキャン処理と前記プリント処理とを並列処理する画像形成装置であって、前記コピージョブの実行が指示されると、ジョブの実行に必要な作業領域の容量とメモリーの空き領域とを比較する空き領域判定部と、前記空き領域判定部によって前記メモリーの空き領域が前記スキャンジョブの実行に必要な作業領域の容量以上で前記プリントジョブの実行に必要な作業領域の容量未満であると判定された場合、前記並列処理を解消し、前記スキャン処理を実行した後に、不揮発性メモリーに保存し、再起動後に前記プリント処理を実行する分割処理実行部と、を具備することを特徴とする。
また、本発明の画像形成装置は、スキャンジョブに基づくスキャン処理を実行するスキャン機能と、プリントジョブに基づくプリント処理を実行するプリント機能と、コピージョブに基づく前記スキャン処理及び前記プリント処理を実行するコピー機能とを備え、前記コピージョブの実行は、前記スキャン処理と前記プリント処理とを並列処理する画像形成装置であって、前記コピージョブの実行が指示されると、ジョブの実行に必要な作業領域の容量とメモリーの空き領域とを比較する空き領域判定部と、前記空き領域判定部によって前記メモリーの空き領域が前記プリントジョブの実行に必要な作業領域の容量以上で前記コピージョブの実行に必要な作業領域の容量未満であると判定された場合、前記並列処理を解消し、前記スキャン処理を実行した後に、前記プリント処理を実行する順次処理実行部と、を具備することを特徴とする。
また、本発明の画像形成装置は、スキャンジョブに基づくスキャン処理を実行するスキャン機能と、プリントジョブに基づくプリント処理を実行するプリント機能と、コピージョブに基づく前記スキャン処理及び前記プリント処理を実行するコピー機能とを備え、前記コピージョブの実行は、前記スキャン処理と前記プリント処理とを並列処理する画像形成装置であって、前記コピージョブの実行が指示されると、ジョブの実行に必要な作業領域の容量とメモリーの空き領域とを比較する空き領域判定部と、前記空き領域判定部によって前記メモリーの空き領域が前記スキャンジョブの実行に必要な作業領域の容量以上で前記プリントジョブの実行に必要な作業領域の容量未満であると判定された場合、前記並列処理を解消し、前記スキャン処理を実行した後に、不揮発性メモリーに保存し、再起動後に前記プリント処理を実行する分割処理実行部と、前記空き領域判定部によって前記メモリーの空き領域が前記プリントジョブの実行に必要な作業領域の容量以上で前記コピージョブの実行に必要な作業領域の容量未満であると判定された場合、前記並列処理を解消し、前記スキャン処理を実行した後に、前記プリント処理を実行する順次処理実行部と、を具備することを特徴とする。
【発明の効果】
【０００７】
本発明によれば、メモリーの空き領域がコピージョブの実行に必要な作業領域の容量未満である場合でも、コピージョブの処理を分割して順に実行することで、メモリー不足を発生させずにコピージョブを実行することができるという効果を奏する。
【図面の簡単な説明】
【０００８】
【図１】本発明に係る画像形成装置の実施の形態の概略構成を示すブロック図である。
【図２】図１に示す画像形成装置の動作を説明するフローチャートである。
【発明を実施するための形態】
【０００９】
以下、図を参照して本発明の実施の形態を詳細に説明する。なお、以下の実施形態において、同様の機能を示す構成には、同一の符号を付してある。
【００１０】
本実施の形態の画像形成装置１は、スキャンジョブに基づくスキャン処理を実行するスキャン機能と、プリントジョブに基づくプリント処理を実行するプリント機能と、コピージョブに基づくスキャン処理及びプリント処理を実行するコピー機能とを備えたＭＦＰ（Multifunction Peripheral / Printer / Product）であり、図１を参照すると、原稿読取部２と、原稿給送部３と、画像形成部４と、操作部５と、記憶部６と、画像処理部７と、通信部８と、電源部１０と、制御部１００とを備えている。
【００１１】
原稿読取部２は、原稿に対して光を照射し、その反射光等を受光して原稿画像を読み取る読取ユニットであり、原稿が載置されるコンタクトガラスと、原稿給送部３の搬送経路に設けられたスリットガラスとを備えている。
【００１２】
原稿給送部３は、原稿載置面に載置された原稿を１枚ずつ順に繰り出して原稿読取部２に給送する。また、原稿給送部３と原稿読取部２とは、画像形成装置１の奥側でヒンジ機構によって回動可能に接続されており、原稿給送部３は、コンタクトガラスに対向して設けられた回動可能な原稿台カバーとして機能する。原稿給送部３を上方に開くことで、コンタクトガラス上面が開放され、コンタクトガラスに原稿をセットできる状態となる。
【００１３】
画像形成部４は、例えば、感光体ドラムと、帯電部、露光部と、現像部と、転写部と、クリーニング部と、定着部とを備え、形成した画像を記録紙に記録する。
【００１４】
操作部５は、液晶ディスプレイ等の表示部と、各種の操作ボタンとが設けられている。ユーザーは操作部５を操作して指示を入力することで、画像形成装置１の各種の設定を行い、画像形成等の各種機能を実行させる。操作部５は、画像形成装置１の状態を表示したり、画像形成状況や印刷部数を表示したり、タッチパネルとして、両面印刷や白黒反転等の機能や倍率設定、濃度設定など各種設定を行えるようになっている。
【００１５】
記憶部６は、半導体メモリーやＨＤＤ（Hard Disk Drive）等の不揮発性の記憶手段である。
【００１６】
画像処理部７は、ＣＰＵ（Central Processing Unit）、ＲＯＭ（Read Only Memory）、ＲＡＭ（Random Access Memory）等を備えたマイクロコンピュータ等の演算処理回路であり、例えば、拡大縮小処理、濃度調整処理、階調調整処理等の画像処理に係る各種ジョブを実行する。
【００１７】
通信部８は、ＬＡＮ等のネットワーク２０を介して、パーソナルコンピュータ等の周辺機器２１との間で各種データを送受信する機能を有する。また、通信部８は、ネットワーク２０及びルーター２２を介してインターネット２３に接続可能に構成されている。そして通信部８は、インターネット２３に接続されている各種通信機器との間で各種データを送受信する機能を有する。
【００１８】
電源部１０は、商用交流電源ＡＣを画像形成装置１の各部で利用可能な直流電圧ＤＣに変換し、変換した直流電圧ＤＣを電源として画像形成装置１の各部に供給する。
【００１９】
制御部１００は、ＣＰＵ１０１、ＲＯＭ１０２、ＲＡＭ１０３等を備えたマイクロコンピュータ等の情報処理部である。ＲＯＭ１０２には画像形成装置１の動作制御を行うための制御プログラムが記憶されている。ＣＰＵ１０１は、ＲＯＭ１０２に記憶されている制御プログラムを読み出し、制御プログラムをＲＡＭ１０３に展開させることで装置全体の制御を行う。そして、ＲＡＭ１０３の空き領域は、原稿読取部２によって読み取ったスキャン画像を記憶し、記憶したスキャン画像の補正処理を実行する作業領域となると共に、補正後のスキャン画像とジョブ設定情報とに基づいて、画像形成部４によって記録紙に印刷するプリント画像を生成する作業領域となる。
【００２０】
また、制御部１００は、空き領域判定部１０４、分割処理実行部１０５、順次処理実行部１０６として機能する。
【００２１】
空き領域判定部１０４には、ジョブの種類毎に実行に必要な作業領域の容量が設定されている。本実施の形態では、スキャンジョブの実行に必要な作業領域は「Ａ」に、プリントジョブの実行に必要な作業領域は「Ａ」よりも大きい「Ｂ」に、コピージョブの実行に必要な作業領域は「Ａ+Ｂ」にそれぞれ設定されている。なお、コピージョブの実行は、パフォーマンス向上のためにスキャン処理とプリント処理とを並列処理する設定となっている。
【００２２】
空き領域判定部１０４は、ジョブの実行が指示されると、ジョブの実行に必要な作業領域の容量と、ＲＡＭ１０３の空き領域Ｘとを比較し、その比較結果に応じて、通常処理と、分割処理実行部１０５による分割処理と、順次処理実行部１０６による順次処理とのいずれかを選択して実行させる。
【００２３】
次に、画像形成装置１においてコピージョブの実行が指示された際の動作について図２を参照して詳細に説明する。
【００２４】
コピージョブの実行が指示されると、空き領域判定部１０４は、ＲＡＭ１０３の空き領域Ｘがスキャンジョブの実行に必要な作業領域「Ａ」未満か否かを判定する（ステップＳ１０１）。
【００２５】
ステップＳ１０２で空き領域Ｘが作業領域「Ａ」未満である場合、空き領域判定部１０４は、コピージョブの実行には再起動が必要であることを通知するエラーメッセージを操作部５に表示させ（ステップＳ１０２）、動作を終了させる。なお、スキャンジョブの実行が指示され、空き領域Ｘが作業領域「Ａ」未満である場合も、空き領域判定部１０４は、同様のエラーメッセージを操作部５に表示させ、動作を終了させる。
【００２６】
ステップＳ１０２で空き領域Ｘが作業領域「Ａ」以上である場合、空き領域判定部１０４は、ＲＡＭ１０３の空き領域Ｘがスキャンジョブの実行に必要な作業領域「Ｂ」未満か否かを判断する（ステップＳ１０３）。
【００２７】
ステップＳ１０３で空き領域Ｘが作業領域「Ｂ」未満である場合、空き領域判定部１０４は、分割処理実行部１０５による分割処理の実行を選択する（ステップＳ１０４）。
【００２８】
分割処理実行部１０５は、スキャン処理とプリント処理との並列処理を解除し、ＲＡＭ１０３の空き領域Ｘを作業領域として用いて原稿読取部２によってスキャン画像を読み取り、読み取ったスキャン画像の補正処理を実行するスキャン処理を実行する（ステップＳ１０５）。
【００２９】
次に、分割処理実行部１０５は、補正後のスキャン画像と、ジョブ設定情報とを不揮発性の記憶手段である記憶部６に一時保存する（ステップＳ１０６）。
【００３０】
次に、分割処理実行部１０５は、電源部１０に再起動を指示し、画像形成装置１を再起動させる（ステップＳ１０７）。
【００３１】
再起動後、分割処理実行部１０５は、記憶部６に一時保存させた補正後のスキャン画像と、ジョブ設定情報とに基づいて、画像形成部４によって記録紙に印刷するプリント画像を生成し、プリント処理を実行し（ステップＳ１０８）、動作を終了する。
【００３２】
ステップＳ１０３で空き領域Ｘが作業領域「Ｂ」以上である場合、空き領域判定部１０４は、ＲＡＭ１０３の空き領域Ｘがコピージョブの実行に必要な作業領域「Ａ＋Ｂ」未満か否かを判定する（ステップＳ１０９）。
【００３３】
ステップＳ１０９で空き領域Ｘが作業領域「Ａ＋Ｂ」未満である場合、空き領域判定部１０４は、順次処理実行部１０６による順次処理の実行を選択する（ステップＳ１１０）。
【００３４】
順次処理実行部１０６は、スキャン処理とプリント処理との並列処理を解除し、ＲＡＭ１０３の空き領域Ｘを作業領域として用いて原稿読取部２によってスキャン画像を読み取り、読み取ったスキャン画像の補正処理を実行するスキャン処理を実行する（ステップＳ１１１）。
【００３５】
次に、順次処理実行部１０６は、スキャン処理完了後に、補正後のスキャン画像と、ジョブ設定情報とに基づいて、画像形成部４によって記録紙に印刷するプリント画像を生成し、プリント処理を実行し（ステップＳ１１２）、動作を終了する。
【００３６】
ステップＳ１０９で空き領域Ｘが作業領域「Ａ＋Ｂ」以上である場合、空き領域判定部１０４は、スキャン処理とプリント処理とを並列処理する通常処理の実行を選択する（ステップＳ１１３）。これにより、スキャン処理とプリント処理との並行処理が実行され（ステップＳ１１４）、動作が終了する。
【００３７】
以上説明したように、本実施の形態は、スキャンジョブに基づくスキャン処理を実行するスキャン機能と、プリントジョブに基づくプリント処理を実行するプリント機能と、コピージョブに基づくスキャン処理及びプリント処理を実行するコピー機能とを備え、コピージョブの実行は、スキャン処理とプリント処理とを並列処理する画像形成装置１であって、コピージョブの実行が指示されると、スキャンジョブ及びプリントジョブの実行に必要な作業領域のそれぞれの容量とメモリー（ＲＡＭ１０３）の空き領域Ｘとを比較する空き領域判定部１０４と、空き領域判定部１０４によってメモリーの空き領域Ｘがスキャンジョブの実行に必要な作業領域の容量「Ａ」以上でプリントジョブの実行に必要な作業領域の容量「Ｂ」未満であると判定された場合、並列処理を解消し、スキャン処理を実行した後に、不揮発性メモリーに保存し、再起動後にプリント処理を実行する分割処理実行部１０５とを備えている。
この構成により、メモリーの空き領域Ｘがスキャンジョブの実行に必要な作業領域の容量「Ａ」以上でプリントジョブの実行に必要な作業領域の容量「Ｂ」未満である場合、コピージョブの処理を分割して順に実行することで、メモリー不足を発生させずにコピージョブを実行することができる。
【００３８】
また、本実施の形態は、スキャンジョブに基づくスキャン処理を実行するスキャン機能と、プリントジョブに基づくプリント処理を実行するプリント機能と、コピージョブに基づくスキャン処理及びプリント処理を実行するコピー機能とを備え、コピージョブの実行は、スキャン処理とプリント処理とを並列処理する画像形成装置１であって、コピージョブの実行が指示されると、プリントジョブ及びコピージョブの実行に必要な作業領域のそれぞれの容量とメモリー（ＲＡＭ１０３）の空き領域Ｘとを比較する空き領域判定部１０４と、空き領域判定部１０４によってメモリーの空き領域Ｘがプリントジョブの実行に必要な作業領域の容量「Ｂ」以上でコピージョブの実行に必要な作業領域の容量「Ａ＋Ｂ」未満であると判定された場合、並列処理を解消し、スキャン処理を実行した後に、プリント処理を実行する順次処理実行部１０６とを備えている。
この構成により、メモリーの空き領域Ｘがプリントジョブの実行に必要な作業領域の容量「Ｂ」以上でコピージョブの実行に必要な作業領域の容量「Ａ＋Ｂ」未満である場合、再起動することなく、コピージョブの処理を分割して順に実行することで、メモリー不足を発生させずにコピージョブを実行することができる。
【００３９】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４０】
１  画像形成装置
２  原稿読取部
３  原稿給送部
４  画像形成部
５  操作部
６  記憶部
７  画像処理部
８  通信部
１０  電源部
２０  ネットワーク
２１  周辺機器
２２  ルーター
２３  インターネット
１００  制御部
１０１  ＣＰＵ
１０２  ＲＯＭ
１０３  ＲＡＭ
１０４  空き領域判定部
１０５  分割処理実行部
１０６  順次処理実行部
【図１】
2020077897.tif 000003
【図２】
2020077897.tif 000004